(57)【要約】【課題】  訪問者が来たことを即座に通知可能な通信装置を提供する。【解決手段】  通信装置がドアホンからプッシュボタンの押下を示す信号を検出すると（Ｓ１ステップ）、ドアホンから入力した画像情報と音声情報を格納し（Ｓ２ステップ）、予め設定された所定の相手先へ発呼を行う（Ｓ４ステップ）。この発呼は、タイマがカウントアップする度に行われ（Ｓ３〜Ｓ７、Ｓ１１〜Ｓ１４ステップのループ）、発呼後のメッセージ送出中（Ｓ６ステップ）に、回線から＃のトーン信号を受信すると（Ｓ７ステップ）、所定時間毎の発呼を停止し、Ｓ２ステップで格納した画像情報と音声情報を所定の相手先に送信する（Ｓ１０ステップ）。【選択図】      図３
2007082102.tif 000002
【特許請求の範囲】
【請求項１】
ドアホンと接続可能な通信装置であり、
前記通信装置は、前記ドアホンから訪問者があることを示す信号を検出すると、予め設定した相手先へ、所定時間間隔で自動的に発呼することを特徴とする通信装置。
【請求項２】
請求項２記載の通信装置であり、
前記通信装置は、前記予め設定した相手先からの応答があると、自動的に発呼することを停止することを特徴とする通信装置。
【請求項３】
ドアホンと接続可能な通信装置であり、
前記ドアホンは撮像手段を有し、
前記通信装置は、格納手段と、発呼手段と、メール送受信手段とを有し、前記撮像手段から画像情報を受信すると、受信した画像情報を前記格納手段に格納し、予め設定された発呼相手先へ所定時間間隔で自動的に発呼するように前記発呼手段を制御し、前記予め設定された発呼相手先からの応答があると、予め設定されたメールアドレスへ、前記格納手段に格納した画像情報を添付してメール送信するように前記メール送受信手段を制御する制御手段と、を有することを特徴とする通信装置。
【請求項４】
ドアホンと接続可能な通信装置であり、
前記ドアホンは音声入力手段を有し、
前記通信装置は、格納手段と、発呼手段と、メール送受信手段とを有し、前記音声入力手段から音声情報を受信すると、受信した音声情報を前記格納手段に格納し、予め設定された発呼相手先へ所定時間間隔で自動的に発呼するように前記発呼手段を制御し、前記予め設定された発呼相手先からの応答があると、予め設定されたメールアドレスへ、前記格納手段に格納した音声情報を添付してメール送信するように前記メール送受信手段を制御する制御手段と、を有することを特徴とする通信装置。
【請求項５】
ドアホンと接続可能な通信装置であり、
前記ドアホンは撮像手段を有し、
前記通信装置は、格納手段と、発呼手段と、メール送受信手段とを有し、前記撮像手段から画像情報を受信すると、受信した画像情報を前記格納手段に格納し、予め設定されたメールアドレスへ、前記格納手段に格納した画像情報を添付してメール送信するように前記メール送受信手段を制御し、前記メール送信の後に、予め設定された発呼相手先へ所定時間間隔で自動的に発呼するように前記発呼手段を制御し、前記予め設定された発呼相手先からの応答があると、前記発呼を停止するように制御する制御手段と、を有することを特徴とする通信装置。
【請求項６】
ドアホンと接続可能な通信装置であり、
前記ドアホンは音声入力手段を有し、
前記通信装置は、格納手段と、発呼手段と、メール送受信手段とを有し、前記音声入力手段から音声情報を受信すると、受信した音声情報を前記格納手段に格納し、予め設定されたメールアドレスへ、前記格納手段に格納した音声情報を添付してメール送信するように前記メール送受信手段を制御し、前記メール送信の後に、予め設定された発呼相手先へ所定時間間隔で自動的に発呼するように前記発呼手段を制御し、前記予め設定された発呼相手先からの応答があると、前記発呼を停止するように制御する制御手段と、を有することを特徴とする通信装置。
【発明の詳細な説明】
【技術分野】
【０００１】
本発明は、ドアホンと接続可能な例えばファクシミリ装置等の通信装置に関するものである。
【背景技術】
【０００２】
近年、ドアホンに関する様々な技術が提案されており、例えば特許文献１には、ドアホンから入力した画像情報を電子メールに添付して送信する技術が記載されている。
【特許文献１】特開平２０００−３０８０４４号公報
【発明の開示】
【発明が解決しようとする課題】
【０００３】
しかしながら、特許文献１では、ただ単に、画像情報を電子メールに添付して送信するだけであるので、メールの受信側は電子メールの受信になかなか気づかない場合がある。この為、例えば、不審者がインターホンのプッシュボタンを押し、応答がないことを確認した（即ち、留守であることを確認した）後、家に侵入した場合には、電子メールの受信先端末がせっかく電子メールを受信しても、受信先ユーザが電子メールの受信に気づかず、その結果警察に通報するといった被害の回避方法を即座に実行することができない。
【課題を解決するための手段】
【０００４】
本願発明は、このような課題に鑑み、訪問者がどのような人物であるかを即座に所定の相手先へ通知することを可能にするものである。
請求項１記載の発明は、ドアホンと接続可能な通信装置であり、前記通信装置は、前記ドアホンから訪問者があることを示す信号を検出すると、予め設定した相手先へ、所定時間間隔で自動的に発呼することを特徴とする。
請求項２記載の発明は、請求項２記載の通信装置であり、前記通信装置は、前記予め設定した相手先からの応答があると、自動的に発呼することを停止することを特徴とする。
請求項３記載の発明は、ドアホンと接続可能な通信装置であり、  前記ドアホンは撮像手段を有し、前記通信装置は、格納手段と、発呼手段と、メール送受信手段とを有し、前記撮像手段から画像情報を受信すると、受信した画像情報を前記格納手段に格納し、予め設定された発呼相手先へ所定時間間隔で自動的に発呼するように前記発呼手段を制御し、前記予め設定された発呼相手先からの応答があると、予め設定されたメールアドレスへ、前記格納手段に格納した画像情報を添付してメール送信するように前記メール送受信手段を制御する制御手段と、を有することを特徴とする。
【０００５】
請求項４記載の発明は、ドアホンと接続可能な通信装置であり、前記ドアホンは音声入力手段を有し、前記通信装置は、格納手段と、発呼手段と、メール送受信手段とを有し、前記音声入力手段から音声情報を受信すると、受信した音声情報を前記格納手段に格納し、予め設定された発呼相手先へ所定時間間隔で自動的に発呼するように前記発呼手段を制御し、前記予め設定された発呼相手先からの応答があると、予め設定されたメールアドレスへ、前記格納手段に格納した音声情報を添付してメール送信するように前記メール送受信手段を制御する制御手段と、を有することを特徴とする。
請求項５記載の発明は、ドアホンと接続可能な通信装置であり、前記ドアホンは撮像手段を有し、前記通信装置は、格納手段と、発呼手段と、メール送受信手段とを有し、前記撮像手段から画像情報を受信すると、受信した画像情報を前記格納手段に格納し、予め設定されたメールアドレスへ、前記格納手段に格納した画像情報を添付してメール送信するように前記メール送受信手段を制御し、前記メール送信の後に、予め設定された発呼相手先へ所定時間間隔で自動的に発呼するように前記発呼手段を制御し、前記予め設定された発呼相手先からの応答があると、前記発呼を停止するように制御する制御手段と、を有することを特徴とする。
請求項６記載の発明は、ドアホンと接続可能な通信装置であり、前記ドアホンは音声入力手段を有し、前記通信装置は、格納手段と、発呼手段と、メール送受信手段とを有し、前記音声入力手段から音声情報を受信すると、受信した音声情報を前記格納手段に格納し、予め設定されたメールアドレスへ、前記格納手段に格納した音声情報を添付してメール送信するように前記メール送受信手段を制御し、前記メール送信の後に、予め設定された発呼相手先へ所定時間間隔で自動的に発呼するように前記発呼手段を制御し、前記予め設定された発呼相手先からの応答があると、前記発呼を停止するように制御する制御手段と、を有することを特徴とする。
【発明の効果】
【０００６】
本発明は、訪問者が来たことを所定の相手先へできるだけ早く報知することが可能である。又、通信装置から所定の相手先に所定時間間隔で発呼を行う為、着呼側である所定の相手先は、訪問者が来たことを知る機会をできるだけ多く得ることが可能である。更に、着呼側の所定の相手先は、画像情報や音声情報を受信することにより、訪問者が誰であるかを知ることが可能である。
【０００７】
請求項１にかかる発明においては、所定の相手先に所定時間間隔で着呼が到来する為、所定の相手先が、訪問者が来たことを知る機会をできるだけ多く得ることが可能である。
【０００８】
請求項２にかかる発明においては、着呼のあった所定の相手先が、もう所定時間間隔で着呼がなくても良いと判断すると、通信装置からの所定時間間隔の発呼を停止させることが可能である。この為、所定の相手先は不必要で煩わしい着呼を回避することが可能である。
【０００９】
請求項３にかかる発明においては、訪問者が来たことを所定の相手先へできるだけ早く報知することが可能であるだけでなく、着呼を受けた所定の相手先は、通信装置から画像情報を受信することにより、訪問者がだれであるかを知ることが可能である。
【００１０】
請求項４にかかる発明においては、訪問者が来たことを所定の相手先へできるだけ早く報知することが可能であるだけでなく、着呼を受けた所定の相手先は、通信装置から音声情報を受信することにより、訪問者がだれであるかを知ることが可能である。
【００１１】
請求項５にかかる発明においては、訪問者が来たことを所定の相手先へできるだけ早く報知することが可能であるだけでなく、訪問者が来たことを知った所定の相手先は、着呼による報知前に受信したメールに添付された画像情報から、直ちに、訪問者がだれであるかを知ることが可能である。
【００１２】
請求項６にかかる発明においては、訪問者が来たことを所定の相手先へできるだけ早く報知することが可能であるだけでなく、訪問者が来たことを知った所定の相手先は、着呼による報知前に受信したメールに添付された音声情報から、直ちに、訪問者がだれであるかを知ることが可能である。
【発明を実施するための最良の形態】
【００１３】
図１は、本実施例装置である通信装置１００（例えば、ドアホン２００と接続可能なメール機能付きファクシミリ装置）とドアホン２００とを接続したシステム構成図である。
【００１４】
図１において、通信装置１００は回線Ｌと接続され、更に、ドアホン２００とも接続されている。
ドアホン２００は、訪問者が訪問したことを家の人に報知する為のプッシュボタン２１０を有し、訪問者がプッシュボタン２１０を押下することにより、例えば通信装置１００のスピーカから「ピンポーン」といった通知音を出力することができる。又、ドアホン２００には例えばＣＣＤ（Ｃｈａｒｇｅ Ｃｏｕｐｌｅｄ  Ｄｅｖｉｃｅｓ）からなるカメラ２２０２２０と、訪問者が発する音声を入力するためのマイク２３０を搭載している。
【００１５】
図２は、本発明を適用してなる通信端末１００（例えば、ドアホン２００と接続可能なメール機能を有するファクシミリ装置）のブロック図である
図２において、制御部１０１は、半導体マイクロプロセッサからなり、例えばＲＯＭ（Ｒｅａｄ  Ｏｎｌｙ  Ｍｅｍｏｒｙ）からなる第１格納部１０２に格納されているシステムプログラムに基づいて以下に説明する各回路の制御を司る。
【００１６】
又、上記制御部１０１は、例えばＤＳＰ（Ｄｉｇｉｔａｌ  Ｓｉｇｎａｌ  Ｐｒｏｃｅｓｓｏｒ）からなるモデム１０３を内蔵しており、上記モデム１０３を利用して、ＣＮＧ信号やＤＩＳ信号等のファクシミリ制御信号の送受信及び、上記制御部１０１が実行するＴＣＰ／ＩＰプロトコルに基づくインターネット接続による各種信号の送受信を行う。又、制御部１０１は、ＴＣＰ／ＩＰプロトコル上で実行されるＳＭＴＰやＰＯＰ等メールの送受信に必要なプロトコルも実行する。
【００１７】
更に、上記モデム１０３は、メール本文と共に送られてきた音声データを再生する機能や、ハンドセット１０９又はスピーカ１１１から出力する音声の速度を変換する話速変換機能を有している。
【００１８】
上記第１格納部１０２は、上記制御部１０１が実行するシステムプログラムの他に、ＴＣＰ／ＩＰプロトコルのプログラムデータ、ＳＭＴＰのプログラムデータ、ＰＯＰのプログラムデータ、ＭＩＭＥ規格に基づいた画像データの記号データへの変換及び記号データの画像データへの変換の為のプログラムデータと、メール表示やメール取り込み指示、送信指示を行う為のソフトウエアも格納する。
【００１９】
着信検出部１０４は、回線Ｌと接続され、回線Ｌからの１６Ｈｚの着信信号を検出する。
【００２０】
極性反転検出部１０５は、回線Ｌの極性反転を検出する。
【００２１】
回線Ｌと接続されたダイオードブリッジ１０６は、極性反転時に装置内部に急激な電圧変化が起こることを防ぐ。
【００２２】
網制御部１０７は、制御部１０１の制御の下で回線Ｌの閉結及び開放を行う。
【００２３】
クロスポイント回路１０８は、制御部１０１の制御の下で、上記網制御部１０７とハンドセット１０９の接続、後述するＤＡＣ１１３とスピーカ１１１の接続、上記網制御部１０７と後述するＤＡＣ１１３の接続を制御する。
【００２４】
例えば、通話時には、網制御部１０７とクロスポイント回路１０８を介して、回線Ｌとハンドセット１０９とが接続され、メールの送受信時には、網制御部１０７とクロスポイント回路１０８を介して回線ＬとＤＡＣ１１３とが接続される。
【００２５】
ハンドセット１０９は上記クロスポイント回路１０８と接続され、フック検出部１１２は、上記ハンドセット１０９のフック状態を検出する。
【００２６】
ＤＡＣ（Ｄｉｇｉｔａｌ  Ａｎａｌｏｇ  Ｃｏｎｖｅｒｔｅｒ）１１３は、上記網制御部１０７とクロスポイント回路１０８を介して回線Ｌから入力したアナログ信号をデジタル信号に変換して上記モデム１０３に出力する機能と、上記モデム１０３から入力したデジタル信号をアナログ信号に変換しクロスポイント回路１０８へ出力する機能とを有している。又、ドアホン２００から入力し格納したデジタルの音声信号をアナログ信号に変換する機能も有している。
【００２７】
読取部１１４は、例えば、ＣＣＤ（Ｃｈａｒｇｅ  Ｃｏｕｐｌｅｄ  Ｄｅｖｉｃｅｓ）読取装置からなり、制御部１０１の制御の下で画情報の読取を行う。
【００２８】
印字部１１５は、例えば、インクジェット方式や感熱方式等の周知の方式を利用した印字装置からなり、制御部１０１の制御の下で画情報の印刷を行う。
【００２９】
表示部１１６は、例えば液晶表示装置からなり、制御部１０１の制御の下で、電話番号やメール本文、メール本文に添付されたファイル等を表示可能である。尚、上記表示部１１６は、動画も表示可能である。更に、表示部１１６は、ドアホン接続部１２０に接続されたドアホン２００から入力した画像データを表示することも可能である。
【００３０】
入力部１１７は、例えば、テンキー、スタートキー、ストップキー、クリアキー、決定キー、選択操作を行う為の操作キー等からなる。
【００３１】
第２格納部１１８は、例えばＳＲＡＭ（Ｓｔａｔｉｃ  Ｒａｎｄｕｍ  Ａｃｃｅｓｓ  Ｍｅｍｏｒｙ）からなり、訪問者が来た時に自動的に発呼すべき宛先の番号（例えば、通信装置１００のユーザが所有する携帯電話の番号）や、ドアホン２００から入力した画像情報や音声情報等をメールに添付し自動的に送信すべき宛先のメールアドレス（例えば、通信装置１００のユーザが所有する携帯電話のメールアドレス）等を格納する。又、上記自動的に発呼すべき宛先の番号へ発呼した際に相手先へ送信するメッセージ（例えば、「訪問者がありました。この報知発呼を停止する場合には＃を押してください」といったメッセージ）を格納する。
【００３２】
第３格納部１１９は、例えばＳＲＡＭ（Ｓｔａｔｉｃ  Ｒａｎｄｕｍ  Ａｃｃｅｓｓ  Ｍｅｍｏｒｙ）からなり、ドアホン接続部１２０を介してドアホン２００から入力した画像情報や音声情報を、画像情報を撮影した時刻或いは音声情報を録音した時刻と対応付けて格納可能である。又、所定時間毎に所定の相手先（上記第２格納部１１８に格納された宛先の番号）へ発呼を行う状態か否かを示すフラグを格納しており、このフラグがオンであれば所定時間毎に所定の相手先へ発呼を行い、オフであれば発呼を行わない。
【００３３】
ドアホン接続部１２０は、図１に示すドアホン２００と接続可能であり、ドアホン２００から入力した画像情報や音声情報を通信装置１００へ出力する。又、ドアホン２００から入力したアナログ信号の音声情報をデジタル信号の音声情報に変換する機能も有している。尚、この変換機能はドアホン２００に設けても良い。
【００３４】
次に、本実施例装置の動作について説明する。図３は第１実施例の動作を示すフロー図である。
先ず、第１実施例について説明する。第１実施例では、ドアホン２００のボタンが押下されると（訪問者があると）、ドアホン２００からの画情報や音声情報を一旦メモリに格納し、訪問者があったこと通知すべく、所定の相手先に所定時間毎に発呼を行う。続いて所定の相手先がこの発呼に応答すると、一旦メモリに格納した画情報や音声情報を自動的にメールに添付し所定の宛先へ送信するものである。
先ず、図３の動作を説明する前に、ユーザは、キー操作により、訪問者が来た時に自動的に発呼すべき宛先の番号（例えば、通信装置１００のユーザが所有する携帯電話の番号）や、ドアホン２００から入力した画像情報や音声情報等をメールに添付し自動的に送信すべき宛先のメールアドレス（例えば、通信装置１００のユーザが所有する携帯電話のメールアドレス）等を入力し、これらのデータは第２格納部１１８に格納される。
【００３５】
図３において、制御部１０１は、ドアホン接続部１２０から、ドアホン２００のプッシュボタン２１０が押下されたことを示す信号を検出すると、訪問者有りと判定し、Ｓ２ステップへ処理を進める。
【００３６】
Ｓ２ステップでは、制御部１０１は、ドアホン接続部１２０を介して、ドアホン２００から入力した画像情報や音声情報を第３格納部１１９に格納する。尚、制御部１０１は内部に現在時刻を計時するタイマを設けており、画像情報や音声情報を格納すると共に現在時刻も格納する。又、制御部１０１は、第３格納部１１９に格納されているフラグをオンする。
【００３７】
Ｓ３ステップでは、制御部１０１は、第３格納部１１９に格納されているフラグがオンであると判定するとＳ４ステップへ処理を進め、そうでなければＳ１ステップへ処理を戻す。
【００３８】
Ｓ４ステップでは、制御部１０１は、第２格納部１１８に格納されている予め設定した電話番号先へ発呼を行う。具体的には、制御部１０１は、第２格納部１１８から電話番号情報を読み込み、モデム１０３を制御することにより読み込んだ電話番号情報に対応するトーン信号を生成し、網制御部１０７、ダイオードブリッジ１０６を介して回線Ｌへ出力させる。
【００３９】
Ｓ５ステップでは、制御部１０１は、極性反転検出部１０５から回線接続したことを示す信号を検出すると、Ｓ６ステップへ処理を進める。
【００４０】
Ｓ６ステップでは、制御部１０１は、第２格納部１１８に格納されているメッセージ（例えば、「訪問者がありました。この報知発呼を停止する場合には＃を押してください」といったメッセージ）を読み込み、ＤＡＣ１１３で音声のデジタルデータをアナログデータに変換し、クロスポイント回路１０８、網制御部１０７、ダイオードブリッジ１０６を介して回線Ｌへ出力させる。
【００４１】
Ｓ７ステップでは、制御部１０１は、回線Ｌから＃のトーン信号を検出すると、Ｓ８ステップへ処理を進め、そうでなければＳ１１ステップへ処理を進める。
【００４２】
即ち、Ｓ６ステップで通信装置１００から送出された音声メッセージを聞いた着呼側ユーザは、もう所定時間毎に着呼がなくても良いと判断すると、テンキーの＃キーを押下することにより、通信装置１００が所定時間毎に発呼することを停止させることができる。
【００４３】
Ｓ８ステップでは、制御部１０１は、第３格納部１１９に格納されているフラグをオフすると共に、制御部１０１が後述するＳ１２ステップで開始したタイマのカウントをクリアし、Ｓ９ステップへ処理を進める。尚、初めからタイマがカウントしていなければクリアした状態を維持する。
【００４４】
Ｓ９ステップでは、制御部１０１は、網制御部１０７を制御することにより回線を切断する。
【００４５】
Ｓ１０ステップでは、制御部１０１は、上記Ｓ２ステップで第３格納部１１９に格納した画像情報と音声情報とをメールに添付し、第２格納部１１８に予め格納されたメールアドレスへメール送信させる。尚、この時、メールのタイトルや本文に例えば、「訪問者有り」というメッセージを自動的に添付させても良い。
【００４６】
Ｓ１１ステップでは、制御部１０１は、網制御部１０７を制御することにより回線を切断する。
【００４７】
Ｓ１２ステップでは、制御部１０１は、制御部１０１に内蔵されているタイマ（図示ぜず）のカウントを開始させる。尚、このタイマは例えば２分カウントするものとするが、カウントする時間はユーザが適宜設定可能としても良い。
【００４８】
Ｓ１３ステップでは、制御部１０１が、上記Ｓ１２ステップでカウントを開始したタイマが所定の時間をカウントしたと判定すると、Ｓ１４ステップへ処理を進め、そうでなければＳ１５ステップへ処理を進める。
【００４９】
Ｓ１４ステップでは、制御部１０１は、上記Ｓ１２ステップでカウントを開始したタイマのカウントをクリアし、Ｓ３ステップへ処理を戻す。
【００５０】
Ｓ１５ステップでは、制御部１０１は、着信検出部１０４から着呼があることを示す信号を検出すると着呼ありと判定し、Ｓ１６ステップへ処理を進め、そうでなければＳ１３ステップへ処理を戻す。
【００５１】
Ｓ１６ステップでは、制御部１０１は、所定の相手先からの着呼であると判定すると、Ｓ１７ステップへ処理を進め、そうでなければＳ１８ステップへ処理を進める。具体的には、制御部１０１が着呼時に、回線から発呼側の電話番号情報を受信すると、第２格納部１１８に格納されている、訪問者があった際に発呼すべき相手先の電話番号情報と一致するか否か判定し、一致すればＳ１７ステップへ処理を進め、そうでなければＳ１８ステップへ処理を進める。
【００５２】
Ｓ１７ステップでは、制御部１０１は、上記Ｓ１２ステップでカウントを開始したタイマのカウントをクリアし、Ｓ７ステップへ処理を戻す。
【００５３】
Ｓ１８ステップでは、制御部１０１は、タイマによるカウントを一時中断し、通常の着呼処理を終了した後にタイマのカウントを再開しＳ１３ステップへ処理を進める。
【００５４】
尚、上記実施例では、着呼側のユーザがメッセージ再生中に＃キーを押下しなければ、通信装置１００から所定の相手先へメールが送信されない構成となっているが、通信装置１００が所定回数発呼を行ったら自動的に所定の宛先へメールを送信し、続いて所定時間毎の発呼を行う構成としても良い。
【００５５】
以上説明したように、第１実施例では、先ず、例えば所定の相手先として、この通信装置の所有者が所有する携帯電話の電話番号とメールアドレスを予め第２格納部１１８に格納しておく。この状態で、ドアホン２００のプッシュボタン２１０が押下されると、自動的に訪問者の画像情報と音声情報とが第３格納部１１９に格納され、訪問者があったことを所定の相手先に確実に報知する為に、所定の時間間隔で所定のあて先へ発呼を行うようにしている。この為、訪問者があったことをできるだけ早く所定の相手先へ知らせるようにすることができる。又、所定の相手先が、訪問者があったことを知ると、自動的に第３格納部１１９に格納された画像情報と音声情報とが所定の相手先のメールアドレスに送信され、訪問者がだれであるかを所定の宛先の者が知ることができる。
【００５６】
しかし、第１実施例装置では、所定の宛先へ発呼を行った後にメールを送信する為、所定の宛先のユーザが通信装置からの着呼があってから、メールを見るまで時間がかかる可能性がある。例えば、メールサーバが混雑している場合には、なかなか通信装置から所定の相手先へメールが届かない場合が考えられる。第２実施例装置はこのような場合を回避するためのものであり、予めメールを所定の相手先へ送信した後に、所定の相手先へ発呼を行うものである。
以下に本発明を適用してなる第２実施例の動作について説明する。図４は、第２実施例装置の動作を示すフロー図である。
【００５７】
第１実施例と異なる部分のみ説明する。第２実施例装置では、Ｓ１ステップで制御部１０１が訪問者があると判定すると、Ｓ３ステップで予め定められた相手先へメールを送信する（第１実施例のＳ１０ステップに相等する動作を行う）。
【００５８】
又、第２実施例では、Ｓ１０ステップにおいて、制御部１０１が回線断の処理を行なうと、Ｓ１ステップへ処理を戻す。
【００５９】
この２つの点が第１実施例と異なる部分である。第２実施例では、訪問者があると直ちに所定の相手先へ訪問者の画情報と音声情報とが添付されたメールを送信し、メール送信後に所定の時間間隔で所定の相手先へ、発呼を行う。この為、所定の相手先は訪問者があったことを報知する為の着呼がある前に、着呼側ユーザは、メールの着信に気づいた場合に限り直ちにメールにより訪問者が誰であるかを知ることが可能である。
【００６０】
尚、本実施例装置において以下の構成としても良い、例えば、所定の相手先へ画像情報を送信する際に、画像情報を撮影した時刻の情報を添付しても良い。その添付の方法としては、例えばドアホン２００から入力した画像情報に時刻の画像を合成させても良いし、メールのタイトルや本文に時刻の情報を入れても良い。
【００６１】
又、所定の相手先へ音声情報を送信する際に、音声情報を入力した時刻の音声データも添付して送信しても良い。
【図面の簡単な説明】
【００６２】
【図１】本発明にかかる通信装置のシステム図である。
【図２】本発明の実施例にかかる通信装置を示すブロック図、
【図３】第１実施例の動作を示すフロー図である。
【図４】第２実施例の動作を示すフロー図である。
【符号の説明】
【００６３】
１００・・・・通信装置
１０１・・・・制御部
１０３・・・・モデム
１０４・・・・着信検出部
１１８・・・・第２格納部
１１９・・・・第３格納部
１２０・・・・ドアホン接続部
２００・・・・ドアホン
２１０・・・・プッシュボタン
２２０・・・・カメラ
２３０・・・・マイク
【図１】
2007082102.tif 000003
【図２】
2007082102.tif 000004
【図３】
2007082102.tif 000005
【図４】
2007082102.tif 000006